(57)【要約】【課題】携帯用の端末機に設けられた複数のパネルを整合的に結合させることで、歪みのない一つの画面を表示可能にする携帯用の端末機を提供する。【解決手段】本考案に係る携帯用の端末機は、第１映像が表示されるメインディスプレイパネル部１０と、第２映像が表示されるサブディスプレイパネル部２０と、サブディスプレイパネル部２０をメインディスプレイパネル部１０に回転可能に固定するヒンジ連結部と、ヒンジ連結部と対向して設けられ、メイン及びサブディスプレイパネル部１０、２０を電気的に連結させるための配線が挿入される配線連結部とを備えている。【選択図】  図１
0003121820.tif 000002
【実用新案登録請求の範囲】
【請求項１】
第１映像が表示される第１ディスプレイパネル部と、
第２映像が表示される第２ディスプレイパネル部と、
前記第２ディスプレイパネル部を前記第１ディスプレイパネル部に回転可能に固定するヒンジ連結部と、
前記ヒンジ連結部と対向して設けられ、前記第１及び第２ディスプレイパネル部を電気的に連結させるための配線が挿入される配線連結部とを含む携帯用の端末機。
【請求項２】
前記ヒンジ連結部は、
前記第１ディスプレイパネル部に形成され、切開片及び左右の両側面が開放されている連結片からなる第１ヒンジ連結部と、
前記第２ディスプレイパネル部に形成され、一側面が前記第１ヒンジ連結部の一側面と連通するように開放される第２ヒンジ連結部と、
前記第１及び第２ヒンジ連結部に挿入されるヒンジ軸とを含む請求項１記載の携帯用の端末機。
【請求項３】
前記ヒンジ軸は、前記第１ヒンジ連結部に挿入される第１ヒンジ片及び前記第２ヒンジ連結部に挿入される第２ヒンジ片を含み、前記第１ヒンジ片の直径が前記第２ヒンジ片の直径より大きく形成される請求項２記載の携帯用の端末機。
【請求項４】
前記配線連結部は、
前記第１ディスプレイパネル部に突出するように形成される連結片、及び前記第１ディスプレイパネル部の内側へ凹んでいる受け片を含む第１配線連結部と、
前記第２ディスプレイパネル部に形成され、前記第１配線連結部の前記受け片に回転可能に装着される第２配線連結部とを含む請求項１記載の携帯用の端末機。
【請求項５】
前記第１配線連結部の前記連結片は、上部が前記第１ディスプレイパネル部の上へ突出し、下部は前記第１ディスプレイパネル部の内部へ入り込み、突出した上部の一側面は閉鎖され、上部の他側面は開放され、下部の左右の両側面は開放される請求項４記載の携帯用の端末機。
【請求項６】
前記第２配線連結部は円筒状からなり、一側面が前記連結片の開放されている下部の一側面と連通するように開放され、この一側面には係合突出部が円周方向に突出して形成され、前記係合突出部は、前記第１配線連結部の連結片に回転可能に結合されることを特徴とする請求項４記載の携帯用の端末機。
【請求項７】
前記第１及び第２ディスプレイパネルを電気的に連結させるための配線は、前記第１配線連結部の連結片及び第２配線連結部を貫通するように設けられる請求項４記載の携帯用の端末機。
【考案の詳細な説明】
【技術分野】
【０００１】
本考案は携帯用の端末機に関し、より詳しくは、携帯用の端末機のメインディスプレイパネル部及びサブディスプレイパネル部を整合的に結合させることで、歪みのない一つの大画面を表示可能な携帯用の端末機のデュアルディスプレイモジュール構造に関する。
【背景技術】
【０００２】
一般に、携帯用の端末機とは、デジタルフォーン(Digital phone)、セルラーフォーン(Cellular phone)、PCS(Personal Communications Service)フォーン等のような移動通信端末機、又はPDA(Personal Digital Assistant)及び小型のノートブック等のように携帯可能なデジタル端末機を称する装置であり、通常、これは、無線通信リンクと連動してユーザに音声及び映像情報等の様々なデジタルコンテンツを提供する機能を行う。
【０００３】
このような携帯用の端末機は、携帯性の極大化のために、高感度、小型化及び軽量化を目指して発展しつつあるが、この傾向は、携帯用の端末機の代表としての移動通信端末機の発展過程を調べれば分かる。
【０００４】
即ち、初期の移動通信端末機のタイプであるバー(Bar)型及びフリップ(Flip)型の端末機は、その形状の拡張が不可能で大きくて重いため、現在ではほとんど用いられていなく、小型及び軽量でありながらその形状の拡張が可能なスライドフォルダ型及びフォルダ型（折り畳み型）の端末機が用いられている（特許文献１）。
【特許文献１】特開２００４−１２０３３２号公報
【考案の開示】
【考案が解決しようとする課題】
【０００５】
最近では、無線データサービスが大衆化するにつれて、携帯用の端末機のマルチメディアコンテンツの提供機能は、その携帯用の端末機が元々有する機能(移動通信端末機の場合は通話機能、PDAの場合はデータの入力機能)より一層重要となっている趨勢である。携帯用の端末機が、このようなマルチメディアコンテンツの機能、特に、映像コンテンツの機能を有効に行うためには、通信網から受信した映像コンテンツをディスプレイパネルを介してどれほど完璧に表示することができるかが重要な要素となる。
【０００６】
しかし、上述したように、携帯用の端末機の携帯性を高めるために、ディスプレイパネルの大きさは限定されなければならない。このため、従来のディスプレイパネルの上においては、良質の映像コンテンツを表示し難いという問題があった。
【０００７】
本考案の目的は、複数のパネルを結合して一つの拡張した画面が具現できる携帯用の端末機を提供することにある。
【０００８】
本考案の他の目的は、携帯用の端末機の複数のパネルがより整合的に結合されるようにするヒンジ構造を提供することにある。
【課題を解決するための手段】
【０００９】
前記のような目的を達成するために、本考案の一実施形態に係る携帯用の端末機は、第１映像が表示される第１ディスプレイパネル部と、第２映像が表示される第２ディスプレイパネル部と、前記第２ディスプレイパネル部を前記第１ディスプレイパネル部に回転可能に固定するヒンジ連結部と、前記ヒンジ連結部と対向して設けられ、前記第１及び第２ディスプレイパネル部を電気的に連結するための配線が挿入される配線連結部とを備えている。
【００１０】
本考案の一実施形態によると、ヒンジ連結部は、前記第１ディスプレイパネル部に形成され、切開片及び左右の両側面が開放されている連結片からなる第１ヒンジ連結部と、前記第２ディスプレイパネル部に形成され、一側面が前記第１ヒンジ連結部の一側面と連通するように開放される第２ヒンジ連結部と、前記第１及び第２ヒンジ連結部に挿入されるヒンジ軸とを包含する。
【００１１】
ここで、ヒンジ軸は、前記第１ヒンジ連結部に挿入される第１ヒンジ片及び前記第２ヒンジ連結部に挿入される第２ヒンジ片からなり、前記第１ヒンジ片の直径が前記第２ヒンジ片の直径より大きく形成される。
【００１２】
本考案の一実施形態によると、前記配線連結部は、前記第１ディスプレイパネル部に突出するように形成される連結片、及び前記第１ディスプレイパネル部の内側へ凹んでいる受け片を含む第１配線連結部と、前記第２ディスプレイパネル部に形成され、前記第１配線連結部の前記受け片に回転可能に装着される第２配線連結部とを含んでいる。
【００１３】
ここで、前記第１配線連結部の前記連結片は、上部が前記第１ディスプレイパネル部の上へ突出し、下部は前記第１ディスプレイパネル部の内部へ入り込み、突出した上部の一側面は閉鎖され、上部の他側面は開放され、下部の左右の両側面は開放される。
【００１４】
そして、前記第２配線連結部は円筒状からなり、一側面が前記連結片の開放されている下部の一側面と連通するように開放され、この一側面には係合突出部が円周方向に突出して形成され、前記係合突出部は、前記第１配線連結部の連結片に回転可能に結合される。
【００１５】
また、前記第１及び第２ディスプレイパネルを電気的に連結するための配線は、前記第１配線連結部の連結片及び第２配線連結部を貫通するように設けられる。
【考案の効果】
【００１６】
前記のような本考案は、メインディスプレイパネル部及びサブディスプレイパネル部からなるデュアルディスプレイモジュール構造において、相対的に回転可能に結合されたメインディスプレイパネル部とサブディスプレイパネル部との間により精密な整合ヒンジ構造を提供することで、より鮮明であり、かつ高画質な映像コンテンツの表示機能が具現できる効果がある。
【考案を実施するための最良の形態】
【００１７】
以下、添付図面を参照して本考案の好適な実施形態を詳細に説明する。
【００１８】
図１乃至図３は、本考案の一実施形態に係る携帯用の端末機のデュアルディスプレイモジュール構造を示す。
【００１９】
図１に示すように、本考案の一実施形態に係るデュアルディスプレイモジュールは、メインディスプレイパネル部１０と、メインディスプレイパネル部１０にヒンジで結合されたサブディスプレイパネル部２０とを含んでいる。
【００２０】
メインディスプレイパネル部１０は、相互分離可能に結合される上部及び下部ケース１１、１２と、この上部及び下部ケース１１、１２の内部に装着されるメイン平板画面１３とからなる。
【００２１】
上部ケース１１のサブディスプレイパネル部２０と連結される角部には、第１配線連結部１４及び第１ヒンジ連結部１５が連結される。
【００２２】
第１配線連結部１４は、円筒状の連結片１４ａ及び上部ケース１１の内側へ屈曲状に凹んでいる受け片１４ｂからなる。
【００２３】
連結片１４ａは、その上部が上部ケース１１の一側の角部へ突出し、その下部は上部ケース１１の内側へ入り込んでいる形態で備えられ、連結片１４ａの突出した上部の一側面１４ａ−１は閉鎖される。
【００２４】
一方、連結片１４ａの上部ケース１１の内側へ入り込んでいる下部は、図４に示すように、その左右の両側面１４ａ−２、１４ａ−３が開放されることにより、その左側面１４ａ−２はメインディスプレイパネル部１０の上部ケース１１の内部と連通し、その右側面１４ａ−３は後述するサブディスプレイパネル部２０の第２配線連結部２４と連通する。
【００２５】
このような連結片１４ａの上部ケース１１の内へ入り込んだ下部の左右の両側面１４ａ−２、１４ａ−３を通じて後述するＰＣＢフィルム３０が貫通するようになる。
【００２６】
また、この連結片１４ａの外径は、後述するサブディスプレイパネル部２０の第２配線連結部２４の外径に対応する寸法からなる。
【００２７】
受け片１４ｂは上述の連結片１４ａの側面から上部ケース１１の内側(図５においては下方向)へ湾曲状に凹んでおり、この受け片１４ｂの上部面に後述するサブディスプレイパネル部２０の第２配線連結部２４の外周面が受容されて回転支持される。
【００２８】
第１ヒンジ連結部１５は、切開片１５ａと連結片１５ｂとからなる。
【００２９】
切開片１５ａには、後述するサブディスプレイパネル部２０の第２ヒンジ連結部２５が挿入されて回転し易い幅だけ切開して形成される。
【００３０】
連結片１５ｂは、その一側面１５ｂ−１が開放されている円筒状であり、その外径は後述するサブディスプレイパネル部２０の第２ヒンジ連結部２５の外径に対応する寸法からなる。
【００３１】
一方、このようなメインディスプレイパネル部１０は、携帯用の端末機の本体側にホルダー型又はバー型で連結されることができる。
【００３２】
サブディスプレイパネル部２０は、相互分離可能に結合される上部及び下部ケース２１、２２と、この上部及び下部ケース２１、２２の内部に装着されるサブ平板画面２３とからなる。
【００３３】
上部ケース２１のメインディスプレイパネル部１０と連結される角部には、第２配線連結部２４及び第２ヒンジ連結部２５が形成される。
【００３４】
第２配線連結部２４は、上部ケース２１の角部に備えられ、その一側面２４ａが開放されている円筒状からなり、上部ケース２１の角部に連結されている内側面２４ｂは上部ケース２１の内側と連通するように開放され、メインディスプレイパネル部１０の第１配線連結部１４の受け片１４ｂに受容されて回転支持されるように装着される。
【００３５】
この第２配線連結部２４の一側面２４ａの周縁部分には係合突出部２４ｃが円周方向に突出して形成され、この係合突出部２４ｃは第１配線連結部１４の連結片１４ａの側に回転可能に結合され、これにより、第２配線連結部２４は、係合突出部２４ｃにより、その回転作動が案内されるとともに回転支持される。
【００３６】
一方、第２配線連結部２４の開放されている一側面２４ａは、後述するＰＣＢフィルム３０が貫通するように、上述のメインディスプレイパネル部１０の連結片１４ａの下部の右側面１４ａ−３と連通する。
【００３７】
第２ヒンジ連結部２５は、その一側面２５ａが開放されている円筒状からなり、上述のメインディスプレイパネル部２０の第１ヒンジ連結部１５の切開片１５ａの側に挿入される。
【００３８】
一方、第２ヒンジ連結部２５の一側面２５ａと第１ヒンジ連結部１５の連結片１５ｂの一側面１５ｂ−１とは相互連通して装着され、メインディスプレイパネル部１０の第１ヒンジ連結部１５とサブディスプレイパネル部２０の第２ヒンジ連結部２５とは相互連通して開放されている各一側面２５ａ、１５ｂ−１を通じてヒンジ軸４０が挿入されることで、メインディスプレイパネル部１０及びサブディスプレイパネル部２０を相対的に回転可能に結合させる。
【００３９】
このヒンジ軸４０は、サブディスプレイパネル部２０の第２ヒンジ連結部２５の内径面に挿入される第１ヒンジ片４１と、メインディスプレイパネル部１０のヒンジ連結片１５ｂの内径面に挿入される第２ヒンジ片４２とからなる。
【００４０】
好ましくは、ヒンジ軸４０は、第１ヒンジ片４１の直径が第２ヒンジ片４２の直径より小さく形成されることで、メインディスプレイパネル部２０とサブディスプレイパネル部１０との間の相対的な回転作動をより容易に行うこともできる。
【００４１】
一方、メインディスプレイパネル部１０及びサブディスプレイパネル部２０は、ＰＣＢフィルム３０を介して電気的に接続され、このようなＰＣＢフィルム３０はTCP（Tape Carrier Package）、COF（Chip On film）等のような軟性（Flexible）の集積回路（IC）パッケージを通称するのである。
【００４２】
一方の端部がメインディスプレイパネル部１０の平板画面１３に接続されたＰＣＢフィルム３０は、第１配線連結部１４の連結片１４ａ及びサブディスプレイパネル部２０の第２配線連結部２４の夫々の開口１４ａ−２、１４ａ−３、２４ａ、２４ｂを貫通した後に、その他方の端部がサブディスプレイパネル部２０の平板画面２３に接続される。
【００４３】
即ち、ＰＣＢフィルム３０は、メインディスプレイパネル部１０及びサブディスプレイパネル部２０の第１及び第２配線連結部１４、２４を介してメインディスプレイパネル部１０及びサブディスプレイパネル部２０の平板画面１３、２３を相互接続させるように構成される。
【００４４】
以上のような本考案は、メインディスプレイパネル部１０とサブディスプレイパネル部２０とが第１及び第２配線連結部１４、２４を介して安定した電気的又は通信的な接続構造を具現することで、メインディスプレイパネル部１０及びサブディスプレイパネル部２０が開かれている場合に、相互間の高画質な映像コンテンツ機能を提供することができる。
【００４５】
また、本考案は、メインディスプレイパネル部１０とサブディスプレイパネル部２０とが第１及び第２ヒンジ連結部１５、２５により整合(clear conjunction)的に結合されることで、その開き作動の時にメインディスプレイパネル部１０の平板画面１３の一側にサブディスプレイパネル部２０の平板画面２３が正確に一致することになり、このため、二つの画面をほぼ継目のない単一の大画面に具現することができる特徴がある。
【００４６】
以上、本考案の実施形態に係るデュアルディスプレイパネル部を有する携帯用の端末機について説明した。上述の実施形態は本考案の概念が適用された一実施形態であり、本考案の範囲が前記の実施形態に限定されるのではなく、本考案の概念をそのまま利用して様々な変形例を実施することができる。
【図面の簡単な説明】
【００４７】
【図１】図１は本考案の一実施形態に係る携帯用の端末機のデュアルディスプレイモジュール構造の折り畳み状態を示す平面斜視図である。図１は本考案に係る音楽付きスライドショー自動生成装置としての機能を備えたパソコンのハードウエア構成例を示すブロック図である。
【図２】図２は本考案の一実施形態に係る携帯用の端末機のデュアルディスプレイモジュール構造が開かれている状態を図１の矢印IIの方向から見た斜視図である。
【図３】図３は本考案のデュアルディスプレイモジュール構造を示す分解斜視図である。
【図４】図４は本考案のデュアルディスプレイモジュール構造が開かれている状態において、メインディスプレイパネル部の上部ケースの内側へ入り込んでいる連結片の下部及びサブディスプレイパネル部の第２配線連結部を部分的に切り出して示す底面図である。
【図５】図５は図４のＶ−Ｖ線に沿って切り出した本考案の第１配線連結部の連結片を示す断面図である。
【符号の説明】
【００４８】
１０…メインディスプレイパネル部、１１、２１…上部ケース、１２、２２…下部ケース、１３…メイン平板画面、１４…第１配線連結部、１４ａ…連結片、１４ｂ…受け片、１５…第１ヒンジ連結部、１５ａ…切開片、１５ｂ…連結片、２０…サブディスプレイパネル部、２３…サブ平板画面、２４…第２配線連結部、２４ａ…一側面、２４ｂ…内側面、２４ｃ…係合突出部、２５…第２ヒンジ連結部、３０…ＰＣＢフィルム、４０…ヒンジ軸、４１…第１ヒンジ片、４２…第２ヒンジ片
【図１】
0003121820.tif 000003
【図２】
0003121820.tif 000004
【図３】
0003121820.tif 000005
【図４】
0003121820.tif 000006
【図５】
0003121820.tif 000007